【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ワイヤレスデバイスにおいて、トレーニングフィールドトーンプランに基づいてトレーニングフィールドを備えるパケットを生成することと、ここにおいて、前記生成は、以下によって成される、
ベーストレーニングフィールドからトーン位置を１回または複数回複製すること、および１つまたは複数の追加のサブバンド直流（ＤＣ）トーンまたはエッジトーンを追加することによって、前記トレーニングフィールドトーンプラン中にトレーニングトーンをポピュレートすること、およびリソースユニットごとに前記トレーニングフィールドをスケーリングすること、
前記パケットを送信することと
を備える、ワイヤレス通信の方法。
【請求項２】
時間ｔにおける前記トレーニングフィールドの大きさは、
【数１】
2017539168.tif 000001
によってスケーリングされ、
ここにおいて、NHE-data,iRUToneは、割り当てられたリソースユニットがペイロード送信のために含むトーンの総数であり、NHE-STF,iRUToneは、前記割り当てられたリソースユニット中にポピュレートされる前記トレーニングフィールドのトーンの数であり、NSTS,total,iRUは、前記割り当てられたリソースユニット中で送信される時空間ストリームの総数であり、WTHE-STF(t)は、窓関数であり、Qkは、サブキャリアｋのための空間マッピング行列であり、γkは、トーンｋ上のトーン回転であり、HESkは、トーンｋにおける前記トレーニングフィールドの値であり、ΔFは、トーン間隔であり、TCSD,mは、ｍ番目の空間ストリームのための巡回シフト遅延であり、ここにおいて、合計は、前記トレーニング中の各トーンｋと前記割り当てられたリソースユニット中の各ユーザｕと各ユーザのための各空間ストリームｍとにわたって加算される、請求項１に記載の方法。
【請求項３】
時間ｔにおける前記トレーニングフィールドの大きさは、
【数２】
2017539168.tif 000002
によってスケーリングされ、
ここにおいて、NHE-data,iRUToneは、割り当てられたリソースユニットがペイロード送信のために含むトーンの総数であり、NHE-LTF,iRUToneは、前記割り当てられたリソースユニット中にポピュレートされる前記トレーニングフィールドのトーンの数であり、NSTS,total,iRUは、前記割り当てられたリソースユニット中で送信される時空間ストリームの総数であり、WTHELTF(t-n* THELTF)は、各トレーニングフィールドシンボルの時間値のための窓関数であり、Qkは、サブキャリアｋのための空間マッピング行列であり、γkは、トーンｋ上のトーン回転であり、Akは、トーンｋにおけるＰ行列値またはＲ行列値であり、HELTFkは、トーンｋにおける前記トレーニングフィールドの値であり、ΔFは、トーン間隔であり、n*THELTF、前記トレーニングフィールドの各シンボルの時間値、TGIは、ガードインターバル持続時間であり、TCSD,mは、前記ｍ番目の空間ストリームのための巡回シフト遅延であり、ここにおいて、合計は、前記トレーニングフィールド中の各トーンｋと前記リソースユニット中の各ユーザｕと各ユーザのための各空間ストリームｍとにわたって加算され、ここにおいて、前記合計は、前記トレーニングフィールド中の各シンボルにわたって加算される、請求項１に記載の方法。
【請求項４】
前記ベーストレーニングフィールドをシフトすることをさらに備える、請求項１に記載の方法。
【請求項５】
前記トレーニングフィールドが、第１の周期性における１つまたは複数の繰り返しを有する第１のトレーニングフィールド部分と、第２の周期性における１つまたは複数の繰り返しを有する第２のトレーニングフィールド部分とを備え、
前記第１の周期性および前記第２の周期性が０．８μｓであり、
前記トレーニングフィールドが、
２０ＭＨｚ送信の場合、
トーンインデックス−９６、−８０、−６４、−４８、−３２、−１６、１６、３２、４８、６４、８０、および９６、
トーンインデックス−１１２、−９６、−８０、−６４、−４８、−３２、−１６、１６、３２、４８、６４、８０、９６、および１１２、または
トーンインデックス−１２０、−１０４、−８８、−７２、−５６、−４０、−２４、−８、８、２４、４０、５６、７２、８８、１０４、および１２０
のうちの１つにおいて、ポピュレートされたトレーニングトーンを備え、
４０ＭＨｚ送信の場合、
トーンインデックス−２４０、−２２４、−２０８、−１９２、−１７６、−１６０、−１４４、−１２８、−１１２、−９６、−８０、−６４、−４８、−３２、−１６、１６、３２、４８、６４、８０、９６、１１２、１２８、１４４、１６０、１７６、１９２、２０８、２２４、および２４０、または
トーンインデックス−２３２、−２１６、−２００、−１８４、−１６８、−１５２、−１３６、−１２０、−１０４、−８８、−７２、−５６、−４０、−２４、−８、８、２４、４０、５６、７２、８８、１０４、１２０、１３６、１５２、１６８、１８４、２００、２１６、および２３２
のうちの１つにおいて、ポピュレートされたトレーニングトーンを備え、
８０ＭＨｚ送信の場合、
トーンインデックス−４９６、−４８０、−４６４、−４４８、−４３２、−４１６、−４００、−３８４、−３６８、−３５２、−３３６、−３２０、−３０４、−２８８、−２７２、−２５６、−２４０、−２２４、−２０８、−１９２、−１７６、−１６０、−１４４、−１２８、−１１２、−９６、−８０、−６４、−４８、−３２、−１６、１６、３２、４８、６４、８０、９６、１１２、１２８、１４４、１６０、１７６、１９２、２０８、２２４、２４０、２５６、２７２、２８８、３０４、３２０、３３６、３５２、３６８、３８４、４００、４１６、４３２、４４８、４６４、４８０、および４９６、または
トーンインデックス−４８８、−４７２、−４５６、−４４０、−４２４、−４０８、−３９２、−３７６、−３６０、−３４４、−３２８、−３１２、−２９６、−２８０、−２６４、−２４８、−２３２、−２１６、−２００、−１８４、−１６８、−１５２、−１３６、−１２０、−１０４、−８８、−７２、−５６、−４０、−２４、−８、８、２４、４０、５６、７２、８８、１０４、１２０、１３６、１５２、１６８、１８４、２００、２１６、２３２、２４８、２６４、２８０、２９６、３１２、３２８、３４４、３６０、３７６、３９２、４０８、４２４、４４０、４５６、４７２、４８８
のうちの１つにおいて、ポピュレートされたトレーニングトーンを備える、請求項１に記載の方法。
【請求項６】
前記トレーニングフィールド、第１の周期性における１つまたは複数の繰り返しを有する第１のトレーニングフィールド部分と、第２の周期性における１つまたは複数の繰り返しを有する第２のトレーニングフィールド部分と、
前記第１の周期性および前記第２の周期性が１．６μｓであり、
前記トレーニングフィールドが、
２０ＭＨｚ送信の場合、トーンインデックス−１２０、−１１２、−１０４、−９６、−８８、−８０、−７２、−６４、−５６、−４８、−４０、−３２、−２４、−１６、−８、８、１６、２４、３２、４０、４８、５６、６４、７２、８０、８８、９６、１０４、１１２、および１２０
において、ポピュレートされたトレーニングトーンを備え、
４０ＭＨｚ送信の場合、トーンインデックス−２４０、−２３２、−２２４、−２１６、−２０８、−２００、−１９２、−１８４、−１７６、−１６８、−１６０、−１５２、−１４４、−１３６、−１２８、−１２０、−１１２、−１０４、−９６、−８８、−８０、−７２、−６４、−５６、−４８、−４０、−３２、−２４、−１６、−８、８、１６、２４、３２、４０、４８、５６、６４、７２、８０、８８、９６、１０４、１１２、１２０、１２８、１３６、１４４、１５２、１６０、１６８、１７６、１８４、１９２、２００、２０８、２１６、２２４、２３２、および２４０
において、ポピュレートされたトレーニングトーンを備え、
８０ＭＨｚ送信の場合、トーンインデックス−４９６、−４８８、−４８０、−４７２、−４６４、−４５６、−４４８、−４４０、−４３２、−４２４、−４１６、−４０８、−４００、−３９２、−３８４、−３７６、−３６８、−３６０、−３５２、−３４４、−３３６、−３２８、−３２０、−３１２、−３０４、−２９６、−２８８、−２８０、−２７２、−２６４、−２５６、−２４８、−２４０、−２３２、−２２４、−２１６、−２０８、−２００、−１９２、−１８４、−１７６、−１６８、−１６０、−１５２、−１４４、−１３６、−１２８、−１２０、−１１２、−１０４、−９６、−８８、−８０、−７２、−６４、−５６、−４８、−４０、−３２、−２４、−１６、−８、８、１６、２４、３２、４０、４８、５６、６４、７２、８０、８８、９６、１０４、１１２、１２０、１２８、１３６、１４４、１５２、１６０、１６８、１７６、１８４、１９２、２００、２０８、２１６、２２４、２３２、２４０、２４８、２５６、２６４、２７２、２８０、２８８、２９６、３０４、３１２、３２０、３２８、３３６、３４４、３５２、３６０、３６８、３７６、３８４、３９２、４００、４０８、４１６、４２４、４３２、４４０、４４８、４５６、４６４、４７２、４８０、４８８、および４９６
において、ポピュレートされたトレーニングトーンを備える、請求項１に記載の方法。
【請求項７】
前記トレーニングフィールドが、第１の周期性における１つまたは複数の繰り返しを有する第１のトレーニングフィールド部分と、第２の周期性における１つまたは複数の繰り返しを有する第２のトレーニングフィールド部分とを備え、前記第１の周期性および前記第２の周期性が、シングルユーザまたはダウンリンク送信の場合０．８μｓであり、アップリンクマルチユーザ送信の場合１．６μｓである、または、前記第１の周期性が１．６μｓであり、前記第２の周期性が０．８μｓである、請求項１に記載の方法。
【請求項８】
前記ベーストレーニングフィールドが、レガシー２０ＭＨｚショートトレーニングフィールドと高効率２０ＭＨｚショートトレーニングフィールドとのうちの少なくとも１つを備える、請求項１に記載の方法。
【請求項９】
トレーニングフィールドトーンプランに基づいてトレーニングフィールドを備えるパケットを生成するための手段と、
ベーストレーニングフィールドからトーン位置を１回または複数回複製すること、および１つまたは複数の追加のサブバンド直流（ＤＣ）トーンまたはエッジトーンを追加することによって、前記トレーニングフィールドトーンプラン中にトレーニングトーンをポピュレートするための手段と、
リソースユニットごとに前記トレーニングフィールドをスケーリングするための手段と、
前記パケットを送信するための手段と
を備える、ワイヤレス通信のための装置。
【請求項１０】
時間ｔにおける前記トレーニングフィールドの大きさは、
【数３】
2017539168.tif 000003
によってスケーリングされ、
ここにおいて、NHE-data,iRUToneは、割り当てられたリソースユニットがペイロード送信のために含むトーンの総数であり、NHE-STF,iRUToneは、前記割り当てられたリソースユニット中にポピュレートされる前記トレーニングフィールドのトーンの数であり、×前記割り当てられたリソースユニット中で送信される時空間ストリームの総数、WTHE-STF(t)は、窓関数であり、Qkは、サブキャリアｋのための空間マッピング行列であり、γkは、トーンｋ上のトーン回転であり、HESk、トーンｋにおける前記トレーニングフィールドの値、ΔFは、トーン間隔であり、TCSD,mは、ｍ番目の空間ストリームのための巡回シフト遅延であり、）×ｊ２π）、ここにおいて、合計は、前記トレーニングフィールド中の各トーンｋと前記割り当てられたリソースユニット中の各ユーザｕと各ユーザのための各空間ストリームｍとにわたって加算される、請求項９に記載の装置。
【請求項１１】
時間ｔにおける前記トレーニングフィールドの大きさは、
【数４】
2017539168.tif 000004
によってスケーリングされ、
ここにおいて、NHE-data,iRUToneは、割り当てられたリソースユニットがペイロード送信のために含むトーンの総数であり、NHE-LTF,iRUToneは、前記割り当てられたリソースユニット中にポピュレートされる前記トレーニングフィールドのトーンの数であり、NSTS,total,iRUは、前記割り当てられたリソースユニット中で送信される時空間ストリームの総数であり、WTHELTF(t-n* THELTF)は、各トレーニングフィールドシンボルの時間値のための窓関数であり、Qkは、サブキャリアｋのための空間マッピング行列であり、γkは、トーンｋ上のトーン回転であり、Akは、トーンｋにおけるＰ行列値またはＲ行列値であり、HELTFkは、トーンｋにおける前記トレーニングフィールドの値であり、ΔFは、トーン間隔であり、n*THELTF、前記トレーニングフィールドの各シンボルの時間値、TGIは、ガードインターバル持続時間であり、TCSD,mは、前記ｍ番目の空間ストリームのための巡回シフト遅延であり、ここにおいて、合計は、前記トレーニングフィールド中の各シンボルにわたって加算される、前記トレーニングフィールド中の各トーンｋと前記リソースユニット中の各ユーザｕと各ユーザのための各空間ストリームｍとにわたって加算される））、請求項９に記載の装置。
【請求項１２】
前記処理システムが、前記ベーストレーニングフィールドをシフトするようにさらに構成された、請求項９に記載の装置。
【請求項１３】
前記トレーニングフィールドが、第１の周期性における１つまたは複数の繰り返しを有する第１のトレーニングフィールド部分と、第２の周期性における１つまたは複数の繰り返しを有する第２のトレーニングフィールド部分とを備え、
前記第１の周期性および前記第２の周期性が０．８μｓであり、
前記トレーニングフィールドが、
２０ＭＨｚ送信の場合、
トーンインデックス−９６、−８０、−６４、−４８、−３２、−１６、１６、３２、４８、６４、８０、および９６、
トーンインデックス−１１２、−９６、−８０、−６４、−４８、−３２、−１６、１６、３２、４８、６４、８０、９６、および１１２、または
トーンインデックス−１２０、−１０４、−８８、−７２、−５６、−４０、−２４、−８、８、２４、４０、５６、７２、８８、１０４、および１２０
のうちの１つにおいて、ポピュレートされたトレーニングトーンを備え、
４０ＭＨｚ送信の場合、
トーンインデックス−２４０、−２２４、−２０８、−１９２、−１７６、−１６０、−１４４、−１２８、−１１２、−９６、−８０、−６４、−４８、−３２、−１６、１６、３２、４８、６４、８０、９６、１１２、１２８、１４４、１６０、１７６、１９２、２０８、２２４、および２４０、または
トーンインデックス−２３２、−２１６、−２００、−１８４、−１６８、−１５２、−１３６、−１２０、−１０４、−８８、−７２、−５６、−４０、−２４、−８、８、２４、４０、５６、７２、８８、１０４、１２０、１３６、１５２、１６８、１８４、２００、２１６、および２３２
のうちの１つにおいて、ポピュレートされたトレーニングトーンを備え、
８０ＭＨｚ送信の場合、
トーンインデックス−４９６、−４８０、−４６４、−４４８、−４３２、−４１６、−４００、−３８４、−３６８、−３５２、−３３６、−３２０、−３０４、−２８８、−２７２、−２５６、−２４０、−２２４、−２０８、−１９２、−１７６、−１６０、−１４４、−１２８、−１１２、−９６、−８０、−６４、−４８、−３２、−１６、１６、３２、４８、６４、８０、９６、１１２、１２８、１４４、１６０、１７６、１９２、２０８、２２４、２４０、２５６、２７２、２８８、３０４、３２０、３３６、３５２、３６８、３８４、４００、４１６、４３２、４４８、４６４、４８０、および４９６、または
トーンインデックス−４８８、−４７２、−４５６、−４４０、−４２４、−４０８、−３９２、−３７６、−３６０、−３４４、−３２８、−３１２、−２９６、−２８０、−２６４、−２４８、−２３２、−２１６、−２００、−１８４、−１６８、−１５２、−１３６、−１２０、−１０４、−８８、−７２、−５６、−４０、−２４、−８、８、２４、４０、５６、７２、８８、１０４、１２０、１３６、１５２、１６８、１８４、２００、２１６、２３２、２４８、２６４、２８０、２９６、３１２、３２８、３４４、３６０、３７６、３９２、４０８、４２４、４４０、４５６、４７２、４８８
のうちの１つにおいて、ポピュレートされたトレーニングトーンを備える、請求項９に記載の装置。
【請求項１４】
前記第１の周期性および前記第２の周期性が１．６μｓである、請求項１３に記載の装置。
【請求項１５】
プロセッサによって実行されたとき、前記プロセッサに、請求項１〜請求項８のうちのいずれか一項に記載の方法を実行させるコードを備える、コンピュータプログラム。